(57)【要約】【課題】個体識別用の表示媒体が外部からの衝撃を受け難くいコンテナを提供する。【解決手段】本発明のコンテナ１０は、コンテナ本体１１と、コンテナ本体１１に設けられ、少なくとも表示部１３および制御部１４を有する表示媒体１２とを備え、コンテナ本体１１は、少なくとも１つの側壁１１Ａが外側板１５と内側板１６から構成される二重構造をなし、表示媒体１２は、内側板１６に一体化されかつ外側板１５と内側板１６の間に配置され、外側板１５は、表示部１３に対応する領域に、表示部１３を外側に露出するための窓部２１，２２が設けられ、内側板１６は、コンテナ本体１１に取り外し可能に嵌合されたことを特徴とする。【選択図】図１
2013067412.tif 000002
【特許請求の範囲】
【請求項１】
コンテナ本体と、該コンテナ本体に設けられ、少なくとも表示部および制御部を有する表示媒体とを備えたコンテナであって、
前記コンテナ本体は、少なくとも一側壁が外側板と内側板から構成される二重構造をなし、
前記表示媒体は、前記内側板に一体化されかつ前記外側板と前記内側板の間に配置され、
前記外側板は、前記表示部に対応する領域に、前記表示部を外側に露出するための窓部が設けられ、
前記内側板は、前記コンテナ本体に取り外し可能に嵌合されたことを特徴とするコンテナ。
【請求項２】
前記外側板は、その厚さ方向に貫通し、外部から前記内側板を押圧可能とする貫通穴が設けられたことを特徴とする請求項１に記載のコンテナ。
【請求項３】
前記表示媒体は、ＩＣチップと動作電力を供給するアンテナコイルを兼ね備えた制御部を有する電子ペーパー表示媒体であることを特徴とする請求項１または２に記載のコンテナ。
【発明の詳細な説明】
【技術分野】
【０００１】
本発明は、荷物を梱包せずに収容して搬送（運送）するために用いられるコンテナに関する。
【背景技術】
【０００２】
荷物を梱包せずに収容して搬送（運送）するために、コンテナ（箱状の容器）が用いられることがある。コンテナは、同種のものが多数用いられることが多い上に、重ね置きされることが多い。そのため、コンテナの外見からでは、コンテナに収容されているものを識別することが難しい。
【０００３】
そこで、近年、コンテナおよびその収容物を識別するために、コンテナの外側面に情報表示媒体を貼付して、その情報表示媒体により、コンテナおよび収容物に関する情報を表示する方法が採用されている（例えば、特許文献１参照）。
【先行技術文献】
【特許文献】
【０００４】
【特許文献１】特開２００３−２３３７８６号公報
【発明の概要】
【発明が解決しようとする課題】
【０００５】
上述のように、コンテナの外側面に情報表示媒体を貼付した場合、情報表示媒体が外部からの衝撃を受けやすく、その衝撃によって、情報表示媒体の制御部が損傷することがあるという問題があった。そこで、情報表示媒体が衝撃を受け難くするための方法としては、情報表示媒体を筐体（枠体）に収容した状態で、コンテナの外側面に貼付する方法が挙げられる。しかしながら、情報表示媒体を筐体（枠体）に収容すると、筐体の分の厚さが増したり、表示部による表示のコントラストが低下したりするなどの問題があった。
【０００６】
本発明は、上記事情に鑑みてなされたものであって、個体識別用の表示媒体が外部からの衝撃を受け難いコンテナを提供することを目的とする。
【課題を解決するための手段】
【０００７】
本発明のコンテナは、コンテナ本体と、該コンテナ本体に設けられ、少なくとも表示部および制御部を有する表示媒体とを備えたコンテナであって、前記コンテナ本体は、少なくとも一側壁が外側板と内側板から構成される二重構造をなし、前記表示媒体は、前記内側板に一体化されかつ前記外側板と前記内側板の間に配置され、前記外側板は、前記表示部に対応する領域に、前記表示部を外側に露出するための窓部が設けられ、前記内側板は、前記コンテナ本体に取り外し可能に嵌合されたことを特徴とする。
【０００８】
前記外側板は、その厚さ方向に貫通し、外部から前記内側板を押圧可能とする貫通穴が設けられたことが好ましい。
【０００９】
前記表示媒体は、ＩＣチップと動作電力を供給するアンテナコイルを兼ね備えた制御部を有する電子ペーパー表示媒体であることが好ましい。
【発明の効果】
【００１０】
本発明のコンテナによれば、表示媒体が、外側板と内側板の間に配置されているので、表示媒体の制御部が外部からの衝撃を直接受けることがなく、制御部が損傷することを防止できる。また、内側板をコンテナ本体から取り外すことができるので、万一、表示媒体が壊れたとしても、内側板ごと表示媒体を交換すれば、コンテナ本体をそのまま使用することができる。一方、コンテナ本体が壊れても、表示媒体が使用可能である場合、内側板ごと表示媒体を別のコンテナ本体に適用すれば、再利用することができる。
【図面の簡単な説明】
【００１１】
【図１】本発明のコンテナの一実施形態を示す概略斜視図である。
【図２】本発明のコンテナの一実施形態を示す概略分解斜視図である。
【発明を実施するための形態】
【００１２】
本発明のコンテナの実施の形態について説明する。
なお、本実施の形態は、発明の趣旨をより良く理解させるために具体的に説明するものであり、特に指定のない限り、本発明を限定するものではない。
【００１３】
図１は、本発明のコンテナの一実施形態を示す概略斜視図である。図２は、本発明のコンテナの一実施形態を示す概略分解斜視図である。
本実施形態のコンテナ１０は、コンテナ本体１１と、コンテナ本体１１に配設された表示媒体１２とから概略構成されている。
表示媒体１２は、表示部１３と、表示部１３の表示内容などを制御する制御部１４とから概略構成されている。
【００１４】
コンテナ本体１１の形状は特に限定されるものではないが、例えば、略直方体形状、略立方体形状をなしている。
コンテナ本体１１は、１つの側壁１１Ａが外側板１５と内側板１６から構成される二重構造をなしている。すなわち、側壁１１Ａは、コンテナ本体１１の４つの側壁を構成するうちの１つをなす外側板１５と、この外側板１５に対して、コンテナ本体１１の内側から重なるように設けられた内側板１６とから構成されている。
【００１５】
内側板１６は、コンテナ本体１１の内側に配置された場合、コンテナ本体１１の内側の底面（以下、「内底面」と言う。）１１ａと対向する端面１６ａの中央部に、内底面１１ａ側に凸の嵌合凸部１７が設けられている。
一方、コンテナ本体１１は、内底面１１ａにおいて、外側板１５の中央部に、内側板１６の嵌合凸部１７を嵌合するための嵌合凹部１８が設けられている。コンテナ本体１１の嵌合凹部１８の形状は、内側板１６の嵌合凸部１７の外形形状とほぼ等しくなっている。
【００１６】
内側板１６を、外側板１５に沿ってコンテナ本体１１内に配置するとともに、内側板１６の嵌合凸部１７を、コンテナ本体１１の嵌合凹部１８に嵌合することにより、内側板１６がコンテナ本体１１内の所定に位置に固定される。すなわち、内側板１６が外側板１５に重なるように配置されて、外側板１５と内側板１６から構成される二重構造の側壁１１Ａが形成される。
また、コンテナ本体１１の嵌合凹部１８から、内側板１６の嵌合凸部１７を引き抜くことにより、コンテナ本体１１から内側板１６を容易に取り外すことができる。
【００１７】
内側板１６は、外側板１５の内側面（コンテナ本体１１の内側の側面）１５ａとほぼ大きさが等しくなっている。すなわち、外側板１５における内側板１６と接する面の面積と、内側板１６における外側板１５と対向する面（以下、「一方の面」と言う。）１６ｂの面積と、がほぼ等しくなっている。
これにより、コンテナ本体１１の内側から外側板１５に重なるように、内側板１６が配置された場合、内側板１６は、側壁１１Ａをなす外側板１５にほぼ垂直に交わり、外側板１５とは異なり、側壁１１Ｂをなす外側板１９と側壁１１Ｃをなす外側板２０の間に挟まれるので、内側板１６がコンテナ本体１１の内側においてがたつくことなく、安定に固定される。
【００１８】
表示媒体１２は、内側板１６の一方の面１６ｂ上に接着剤などを介して固定され、内側板１６と一体化されている。したがって、コンテナ本体１１の内側から外側板１５に重なるように、内側板１６が配置された場合、表示媒体１２は、外側板１５と内側板１６の間に挟まれるように配置される。
これにより、表示媒体１２は、外側板１５と内側板１６の間に固定されるとともに、後述する表示部１３以外の部分が外側板１５によって覆われるので、制御部１４が外部からの衝撃を直接受けることがない。
【００１９】
外側板１５は、コンテナ本体１１の内側から外側板１５に重なるように、内側板１６が配置された場合、表示媒体１２の表示部１３が配置される位置に対応する領域に、表示部１３のみを外側に露出するための窓部２１，２２が設けられている。
窓部２１，２２は、外側板１５を厚さ方向に貫通する穴であり、その形状や大きさは特に限定されるものではなく、表示部１３の形状や大きさなどに応じて適宜設定される。
これにより、コンテナ本体１１の内側から外側板１５に重なるように、内側板１６が配置された場合、コンテナ本体１１の外部から、表示媒体１２の表示部１３が視認可能となる。
【００２０】
また、外側板１５は、その厚さ方向に貫通し、コンテナ本体１１の外部から、外側板１５に重なるように配置された内側板１６を押圧可能とする貫通穴２３が設けられていることが好ましい。
貫通穴２３を介して、指などで、外側板１５に重なっている内側板１６を押圧することによって、内側板１６を外側板１５から容易に離隔させることができ、結果として、内側板１６をコンテナ本体１１から容易に取り外すことができる。
【００２１】
コンテナ本体１１には、対向する側壁にそれぞれ、コンテナ１０を把持するための把持部２４，２５が設けられている。
把持部２４，２５は、コンテナ本体１１を厚さ方向に貫通する穴であり、その形状や大きさは特に限定されるものではなく、コンテナ本体１１の形状や大きさなどに応じて適宜設定される。
【００２２】
さらに、内側板１６は、コンテナ本体１１の内側から外側板１５に重なるように、内側板１６が配置された場合、コンテナ本体１１の把持部２４と重なる領域に、把持部２４と形状および大きさがほぼ等しく、かつ把持部２４と連通する把持部２６が設けられている。
このように、コンテナ本体１１に把持部２４，２５が設けられ、内側板１６に把持部２６が設けられているので、これらの把持部２４，２５，２６に手を掛けることにより、人間の手でコンテナ１０を容易に運搬することができる。
【００２３】
コンテナ本体１１の材料は、特に限定されるものではなく、一般的に人間の手で運搬可能なコンテナに適用される金属、プラスチック、木材などの材料が用いられる。
【００２４】
表示媒体１２としては、表示部１３が電子ペーパー表示媒体、表示部１３が液晶表示素子から構成される液晶表示装置、表示部１３が有機エレクトロルミネッセンス素子（有機ＥＬ素子）から構成される有機ＥＬ表示装置などが挙げられるが、これらの中でも、厚さが薄く、可撓性に優れ、かつ駆動に要する電力が少ないことから、ＩＣチップと動作電力を供給するアンテナコイルを兼ね備えた制御部を有する電子ペーパー表示媒体が好ましい。
【００２５】
表示媒体１２は、表示部１３として電子ペーパー、液晶表示素子、有機ＥＬ素子などを備えたＲＦＩＤ用途のモジュールであってもよい。
表示媒体１２がＲＦＩＤ用途のモジュールである場合、表示媒体１２は、アンテナおよびＩＣチップを備える。
また、表示媒体１２は、バーコードを備えていてもよい。表示媒体１２がバーコードを備える場合、外側板１５は、コンテナ本体１１の内側から外側板１５に重なるように、内側板１６が配置された場合、表示媒体１２のバーコードが配置される位置に対応する領域に、バーコードのみを外側に露出するための窓部が設けられる。
【００２６】
コンテナ１０によれば、表示媒体１２は、外側板１５と内側板１６の間に挟まれるように配置されているので、表示媒体１２の制御部１４が外部からの衝撃を直接受けることがなく、制御部１４が損傷することを防止できる。
また、内側板１６をコンテナ本体１１から容易に取り外すことができるので、万一、表示媒体１２が壊れたとしても、内側板１６ごと表示媒体１２を交換すれば、コンテナ本体１１をそのまま使用することができる。一方、コンテナ本体１１が壊れても、表示媒体１２が使用可能である場合、内側板１６ごと表示媒体１２を別のコンテナ本体に適用すれば、再利用することができる。したがって、低コストでコンテナを使用することができる。これに対して、従来のように、コンテナ本体の外側面に表示媒体を貼付した場合は、コンテナ本体あるいは表示媒体のいずれか一方が壊れたら、両方を交換しなければならず、コストが増加する。
【００２７】
さらに、表示媒体１２が、外側板１５と内側板１６の間に挟まれるように配置され、コンテナ本体１１の外側面に設けられていないので、表示媒体１２の分だけコンテナ１０の側壁の厚さが増すことがないので、コンテナ１０を整然と並べることができる。
そして、表示媒体１２が、筐体などに収容されることなく、表示部１３がコンテナ本体１１の窓部２１，２２を介して、外部から視認可能であるので、表示部１３による表示のコントラストが低下して、表示が見難くなるなどの不具合が生じることがない。
【００２８】
なお、本実施形態では、コンテナ本体１１の１つの側壁１１Ａが外側板１５と内側板１６から構成される二重構造をなし、外側板１５と内側板１６の間に表示媒体１２が配置された場合を例示したが、本発明はこれに限定されない。本発明にあっては、コンテナ本体において、２つ以上の側壁が外側板と内側板から構成される二重構造をなしていてもよく、それぞれの側壁において、外側板と内側板の間に表示媒体が配置されていてもよい。また、二重構造をなす側壁を構成する外側板のそれぞれに、その厚さ方向に貫通し、外部から内側板を押圧可能とする貫通穴が設けられていてもよい。
【符号の説明】
【００２９】
１０・・・コンテナ、１１・・・コンテナ本体、１２・・・表示媒体、１３・・・表示部、１４・・・制御部、１５・・・外側板、１６・・・内側板、１７・・・嵌合凸部、１８・・・嵌合凹部、１９，２０・・・外側板、２１，２２・・・窓部、２３・・・貫通穴、２４，２５，２６・・・把持部。
【図１】
2013067412.tif 000003
【図２】
2013067412.tif 000004